(57)【要約】【課題】従来からセカンドモアは、圃場に刈り残こされた株元部分を短く刈るために、圃場の土壌表面に衝突し、刈刃に土の付着が多く、切れ味が悪くなって、付着土壌がそのまま乾燥して固まると取り除きがきわめて困難になる課題がある。【解決手段】  この発明は、汎用コンバインの刈取前処理装置８の背後で、搬送コンベヤ２の下方位置に、ファーストモア７と略同程度の刈幅を有するセカンドモア９を配置して設けた。該セカンドモア９は、前記刈取前処理装置８と一体に上下昇降可能で、かつ、単独でも上下昇降による収納と、刃先９aを前向きの状態と下向きの状態とに切換え回動ができる構成とした汎用コンバインのセカンドモアとしている。【選択図】  図１
2005224153.tif 000002
【特許請求の範囲】
【請求項１】
脱穀装置１に穀稈を送り込む搬送コンベヤ２の始端部に、横軸３に軸架した掻込みオーガー４を有する横広いテーブル５を接続して設け、該テーブル５の前部には、前方に突出して設けた左右分草杆６，６の間にファーストモア７を設けて刈取前処理装置８を構成し、該刈取前処理装置８の背後で、前記搬送コンベヤ２の下方位置に、前記ファーストモア７と略同程度の刈幅を有するセカンドモア９を配置して設け、該セカンドモア９は、前記刈取前処理装置８と一体に上下昇降可能で、かつ、単独でも上下昇降による収納と、刃先９aを前向きの状態と下向きの状態とに切換え回動ができる構成とした汎用コンバインのセカンドモア。
【請求項２】
前記セカンドモア９は、単独で上昇移動する収納作用に関連して、刃先９aを下向き状態に回動する構成とした請求項１記載の汎用コンバインのセカンドモア。
【請求項３】
前記セカンドモア９は、刈取前処理装置８の上昇移動に関連して、刃先9aを下向き状態に回動する構成とした請求項１記載の汎用コンバインのセカンドモア。
【発明の詳細な説明】
【技術分野】
【０００１】
この発明は、汎用コンバインのセカンドモアに関し、農業機械の技術分野に属するものである。
【背景技術】
【０００２】
従来からこの種の汎用コンバインは、圃場の収穫作業にあたり、刈取った穀稈の全部を扱室に投入して脱穀する構成であるから、刈取穀稈の丈が長ければ長い程、扱室への投入容量が増加して脱穀負荷が大きくなって消費馬力が増大する。そのため、汎用コンバインは、２つの刈取装置を前後に配置して設け、前側のファーストモアで穀稈を高刈りして刈り丈を短くした穀稈を脱穀装置に供給し、後ろ側のセカンドモアでは圃場に刈り残した株元部分を刈り取る方法により脱穀時の負荷を軽減する方法を取っている。
【０００３】
このように、セカンドモアは、ファーストモアが圃場に刈り残した株元部分の稈を根元から刈り取って、圃場の刈り跡を短く整え事後の耕耘等の作業に支障がないように処理する構成となっている。したがって、セカンドモアは、前側のファーストモア以上に根元側を刈り取るために土中に突入することがあり、土や藁屑の付着が多く、対策が必要である。
【０００４】
そして、公知の刈取装置において、例えば、特開２００２−２６２６３１号公報、及び実開昭６４−２６９２３号公報に示されているように、一つの刈取装置(セカンドモアではない。)を、通常の前向きの刈取状態から刃先を下向きに回動して上面に載っている土等を落下する技術がある。
【特許文献１】実開昭６４−２６９２３号公報
【特許文献２】特開２００２−２６２６３１号公報
【発明の開示】
【発明が解決しようとする課題】
【０００５】
上述したセカンドモアは、ファーストモアが圃場に刈り残した穀稈下部の株元部分を刈り取る場合、前述のように、刈株を短くするために圃場の土壌表面に衝突、乃至は突っ込む程度に下げて前進するから、刈刃に土壌が付着したり、載ることが、通常の刈取装置(公知例に示されている一つの刈取装置のみからなる構成)よりはるかに多く、刈刃の清掃を頻繁に行う必要がある。そして、刈刃は、藁屑が混入した土壌が付着すると、刈取時の切れ味が悪くなると共に、付着土壌がそのまま乾燥すると刈刃に固まってしまい取り除きがきわめて困難になる課題がある。
【０００６】
そのため、セカンドモアは、ファーストモア、或いは特開２００２−２６２６３１号公報や実開昭６４−２６９２３号公報に示されている刈取装置に比較して刈刃に付着した土壌等の取り除きを頻繁に行う必要がある。
【課題を解決するための手段】
【０００７】
まず、請求項１に記載した発明は、脱穀装置１に穀稈を送り込む搬送コンベヤ２の始端部に、横軸３に軸架した掻込みオーガー４を有する横広いテーブル５を接続して設け、該テーブル５の前部には、前方に突出して設けた左右分草杆６，６の間にファーストモア７を設けて刈取前処理装置８を構成し、該刈取前処理装置８の背後で、前記搬送コンベヤ２の下方位置に、前記ファーストモア７と略同程度の刈幅を有するセカンドモア９を配置して設け、該セカンドモア９は、前記刈取前処理装置８と一体に上下昇降可能で、かつ、単独でも上下昇降による収納と、刃先９aを前向きの状態と下向きの状態とに切換え回動ができる構成とした汎用コンバインのセカンドモアであって、該セカンドモアは、刈取装置を構成している刈刃の刃先を下向きに回動して上面に載っている藁屑や土、或いは両者の混合した塊を地面に自然落下させて刈刃の清掃を行うことができる。
【０００８】
つぎに、請求項２に記載した発明は、前記セカンドモア９は、単独で上昇移動する収納作用に関連して、刃先９aを下向き状態に回動する構成とした請求項１記載の汎用コンバインのセカンドモアであって、この実施例に係るセカンドモアは、作業の途中、又は終了時にわざわざ時間を取って刈刃の土落し等の清掃をする必要がなく、セカンドモアの収納操作に関連して自動的に刃先が下方に向くことによって、上に載っている藁屑や土を地面に落とし、手間を掛けずに清掃ができる。
【０００９】
つぎに、請求項３に記載した発明は、前記セカンドモア９は、刈取前処理装置８の上昇移動に関連して、刃先9aを下向き状態に回動する構成とした請求項１記載の汎用コンバインのセカンドモアであって、該セカンドモアは、ファーストモアの刈高さの設定時(調節時)に関連して自動的に刃先を下向きにして、上に載っている土等を落として清掃ができる。
【発明の効果】
【００１０】
まず、請求項１に記載した発明は、ファーストモアが圃場に刈り残した長めの刈株を根元から刈り取るため土の付着が多いセカンドモアを、刃先が前方に向いた刈取可能な角度から刃先が下向きになる角度まで回動する構成としているから、刈刃上に載っている土や藁屑を地面に落として刈刃の清掃ができる特徴がある。
【００１１】
特に、セカンドモアは、ファーストモアや通常の単体の刈取装置からなる構成に比較して、刈り残した株を根元から刈り取って、刈り跡を整理して事後の耕耘等に支障がないようにするために、短く刈ることが要求される。そのため、セカンドモアは、土壌表面に近い高さで刈取作用をすることが多く、土、泥土の付着する機会が多く、乾燥により固まり付くことがある。そのため、セカンドモアは、頻繁に清掃が必要であり、請求項１の構成により、土や藁屑を自然落下させ、オペレータの作業上の負担を軽くすることができる利点がある。
【００１２】
そして、請求項２に記載した発明は、セカンドモアを上方に収納する上昇移動に関連して刃先を下向きに回動するから、土落としの手間を省くことができる特徴がある。
【００１３】
そして、請求項３に記載した発明は、ファーストモアの刈高さの調節時や刈取前処理装置を上方の非作業位置に収納するとき等に、セカンドモアの刃先を関連させて下向きに回動するものであるから、操作に手数がかからず、モアの清掃が楽にできる効果がある。
【発明を実施するための最良の形態】
【００１４】
この発明は、汎用コンバインのセカンドモア９を、刈取前処理装置８と一体に上下昇降可能で、かつ、単独でも上下昇降による収納と、刃先９aを前向きの状態と下向きの状態とに切換え回動ができる構成としたものである。この発明は、上記構成に基づきセカンドモア９の刃先９aを下向きに回動することによって、刈刃上に載っている土を地上に落下して清掃するものである。
【００１５】
特に、セカンドモア９は、他の刈取装置に比較して低刈りをするから、土の付着する機会が多く、コンバイン作業の途中、刈取作業を中断した機会を利用して上記の如き自然落下により清掃するのが効果的である。
【００１６】
以下、この発明の実施例を図面に基づいて具体的に説明する。
【００１７】
まず、汎用コンバインは、図１、及び図２に示すように、左右にクロ−ラ１１，１１を装備した車体１２上に穀稈供給口１３を前側にして全稈投入式の脱穀装置１を搭載し、その前方に刈取前処理装置８を設けて、一連の刈取脱穀作業ができる構成としている。そして、刈取前処理装置８は、図面に示すように、終端部を前記脱穀装置１の穀稈供給口１３に、上下回動自由に枢着して連通し、前方下部に延長した搬送コンベヤ２の始端部分に横広いテーブル５を接続して設け、該テーブル５上に横軸３によって軸架された掻込みオーガー４を設け、その前方位置に広幅のファーストモア７を設け、更に、その両側に分草杆６，６を前方側に突出させて固着した構成としている。なお、１４は掻込みリールを示している。
【００１８】
そして、上記刈取前処理装置８は、図１に示すように、前記車体１２と上記搬送コンベヤ２との間に昇降油圧シリンダ１５を設けて、主としてファーストモア７の刈高さの調節(セカンドモア９も一体に上下するから刈高さ調節ができる。)と非作業位置まで上昇できる構成にしている。
【００１９】
つぎに、セカンドモア９は、図１、及び図２に示すように、前記ファーストモア７と同じ刈幅に形成してテーブル５の後方に横方向に配置して、左右に設けた平行四点リンク機構１６によって前記テーブル５側の機枠に支持し、昇降シリンダ１７によって上下に昇降可能にして、単独で刈高さの調節と上方の非作業位置への収納ができる構成としている。この構成におけるセカンドモア９は、図３に示す拡大図で解るように、前記平行四点リンク機構１６の先端部に接続した上下方向の支持部材１８の下部に上下回動自由に枢着して取り付け、該支持部材１８に設けたモア回動用モータ１９によって回動される構成としている。
【００２０】
すなわち、上記モア回動用モータ１９は、図２、及び図３に示すように、駆動歯車２０と、セカンドモア９を支持連結している回動支持軸２１に軸着した扇型回動歯車２２とを噛み合わせ、図３の作用図に実線と仮想線で示すように、セカンドモア９の刃先９aを前方に向く位置から下向きの位置に回動できる構成としている。
【００２１】
この場合、セカンドモア９は、作用図から解るように、モア回動用モータ１９を正転、又は逆転して駆動歯車２０を駆動し、扇型回動歯車２２を伝動して上下回動ができる構成となっている。
【００２２】
そして、セカンドモア９は、図２に平面視で示すように、背後の側部(セカンドモアの右側)に設けた油圧モータ２３によって左右往復摺動、すなわち、レシプロ運動によって刈取作用ができる構成としている。
【００２３】
そして、セカンドモア９は、昇降シリンダ１７に油圧機構によって作動油が供給、又は排油されて伸縮作動し、前記平行四点リンク機構１６を上下回動させながら刈高さ調節や上方の非作用位置への収納ができる構成となっている。そして、前記モア回動用モータ１９は、上述の上昇作動に関連して駆動されて、駆動歯車２０から扇型回動歯車２２を伝動し、刃先９aを下向きに回動する構成としている。
【００２４】
このように、セカンドモア９は、刈高さ調節や収納作動に関連して刃先９aが下向きになって刈刃上に載っている土を落下することができる。そして、前記セカンドモア９は、刈取前処理装置８が上昇移動するときにも関連して、刃先9aを下向き状態に回動する構成とし、刈刃の上面に載っている藁屑や土の排除作用を行うことができる構成としている。
【００２５】
従来から、広く知られているように、セカンドモアは、ファーストモアや通常の単体の刈取装置からなる構成に比較して、刈り残した株を根元から刈り取って、刈り跡を整理し事後の耕耘作業等に支障がないようにするために、短く刈ることが要求される。そのため、セカンドモア９は、刈取りに際して圃場面に衝突したり、突っ込んだりすることがあって、土壌が付着することが多く、すばやく取り除かないと刈刃上に固まって取り除きが困難になる課題があった。
【００２６】
そこで、この発明の実施例は、刈株を根元から刈り取るために圃場の土の付着が多いセカンドモア９を、刃先９aが前方に向いた刈取り可能な角度から刃先9aが下向きになる角度まで回動する構成としているから、刃先9aを下向きに回動する度に刈刃上に載っている土や藁屑を地面に落として刈刃の清掃ができる。
【００２７】
このように、セカンドモア９は、付着した土や藁屑を落下して取り除くことによって、良好な切れ味を保つことができるものである。
【００２８】
そして、セカンドモア９は、上述したように、刈高さ調節や収納するために上昇するとき、刃先を自動的に下向きにするから、刈刃上に載っている土や藁屑の落下を行って、清掃し切れ味を保つことができる。又、このように、セカンドモア９は、刈高さ調節や収納に関連して自動的に先が下向きになり土等を落下できるから、オペレータの手間が省けて、切れ味を長く確保できる。
【００２９】
更に、この発明の実施例は、刈高さの調節時や刈取前処理装置８を上方の非作業位置に収納するとき等に、セカンドモア９の刃先を関連させて下向きに回動するものであるから、操作に手数がかからず、モアの清掃が楽にできる。
【００３０】
このように、この発明に係るセカンドモア９は、刈取脱穀作業中において、刈刃清掃のためだけにコンバイン作業を中断することはなく、刈高さ調節等の機会を利用して自動的に清掃ができる点に従来にない特徴がある。
【００３１】
別実施例１
つぎに、図４、乃至図６に基づいて別実施例１を説明する。
【００３２】
まず、別実施例１は、自脱型コンバインにおける刈取装置３０であって、前述したセカンドモア９と同様に、図５、及び図６に示すように、モア回動用モータ１９、駆動歯車２０、扇型回動歯車２２による伝動構成で刃先３０aが、前方を向いた刈取状態と下方を向いた土等を落下する状態とに回動できる構成としている。そして、刈取装置３０は、図面に示すように、前進方向右側に油圧モータ２３を装備して、既に説明したセカンドモア９と同様に駆動して刈取作用ができる構成としている。
【００３３】
この場合、油圧モータ２３は、図４に示すように、刈取フレーム３１の基部側に設けた油圧ポンプ３２から循環ホース３３を配管して作動油を循環可能に接続して設け、供給される作動油によって駆動される構成としている。
【００３４】
そして、穀稈掻込み搬送装置３４は、刈取装置３０の上方に軸架した複数の掻込みスターホイール３５と、左右の搬送装置３６とからなり、前記油圧モータ２３とは離れた位置に構成されている。
【００３５】
図面において、３７は分草杆、３８は穀稈引起し装置、３９は走行ミッションケースであって、刈取動力が取出せる構成としている。
【００３６】
このように、刈取装置３０は、上面右側に一体として設けた油圧モータ２３によって駆動されて左右往復摺動する構成であるから、前述のように、刃先９aが前方に向いた刈取状態は勿論であるが、下向きの状態でも駆動することが可能であるから、土や藁屑の落下を促進することができる。
【００３７】
そして、油圧モータ２３は、図５に示すように、搬送装置３４や掻込みスターホイール３５を避けた右側の位置で、且つ、分草杆３７より内側に装置したから、未刈稈や掻込み搬送穀稈の障害にはならない利点もある。
【００３８】
別実施例２
つぎに、図７、乃至図１０に基づいて別実施例２を説明する。
【００３９】
別実施例２は、自脱型コンバインにおいて手扱ぎ時に利用する稲置台４０に関し、受継補助搬送装置４１の挟持杆４２を利用して構成したものである。従来から上記受継補助搬送装置４１は、図面に示すように、脱穀装置４３のフィードチエン４４の前方位置で、該フィードチエン４４の搬送始端部と刈取前処理装置４５の搬送終端部との間にあって、刈取穀稈を受け継いでフィードチエン４４に供給する構成になっている。
【００４０】
そして、受継補助搬送装置４１は、図７に示すように、外側チエン４６をフィードチエン４４のすぐ前側に配置し、内側チエン４７を穂先側に位置させて平行状態に並べて配置し、受継穀稈の株元部分を挟持して搬送する構成としている。そして、外側チエン４６と内側チエンは、刈取前処理装置４５から回転動力が伝動され、該刈取前処理装置４５と同様に、コンバインの走行速度に連動して回転速度で駆動さる構成としている。
【００４１】
そして、上記外側チエン４６と内側チエン４７とは、図面から解るように、基部を前側の刈取前処理装置４５側の機枠４８に連結して支持した挟持杆４２、４９を上側に沿わせて設け、受継穀稈を挟持して搬送する構成としている。
【００４２】
そして、挟持杆４９は、図７に示すように、棒状の形状にして中間部分を外側チエン４６の上面に沿わせて後方に延長し、その終端部分をフィードチエン４４側にまで臨ませて設け、連続した受継、供給作用ができる構成にしている。そして、挟持杆４２は、図９に示す正面視で解るように、逆U字型にして、上面に手扱ぎ時の穀稈株元を載せて案内できる平板形状の稲置台４０を構成し、下部を前記内側チエン４７の上面に沿わせて穀稈の挟持ができる構成としている。
【００４３】
そして、上記稲置台４０は、図８に示すように、側面視において脱穀装置４３の穀稈供給口側(フィードチエン４４側)が低くなるように勾配をつけ、手扱ぎ時に穀稈の株元を載せて案内するときに供給側に滑り易くなり、フィードチエン４４の始端部に供給し易い構成にしている。なお、５０はフィードチエン４４の挟持杆である。
【００４４】
別実施例２は、以上のように構成しているから、通常の刈取脱穀作業時には、前側の刈取前処理装置４５の終端部(供給チエン５１)から受継補助搬送装置４１の始端部に達した穀稈は、内側と外側との２つのチエン４６，４７と挟持杆４２、４９とに挟持されて搬送され、フィードチエン４４の搬送始端部に受継がれて、穂先部分が脱穀装置４３に供給されて脱穀作用を受けながら後方に搬送される。
【００４５】
つぎに、コンバインを圃場に入れるために、枕地の穀稈を鎌で刈り取って手扱ぎ作業を行うときには、内側チエン４７上の挟持杆４２は、上面が稲置台４０の役目を果たし、その上に手刈り穀稈を置いて作業者が手作業で脱穀装置４３に供給できるものである。
【００４６】
以上のように、別実施例２は、通常の刈取脱穀作業時には、受継補助搬送装置４１として、刈取前処理装置４５から受け継いだ搬送穀稈を挟持しながら搬送して、フィードチエン４４の始端部に受け継がせることができ、手扱ぎ作業時には、挟持杆４２の上面を稲置台４０として利用できる特徴がある。そして、稲置台４０は、供給側を低く勾配をつけて構成したから、穀稈の滑り、案内が容易となり、供給し易い特徴がある。
【図面の簡単な説明】
【００４７】
【図１】汎用コンバインの側面図
【図２】刈取前処理装置の平面図
【図３】要部を拡大した作用側面図
【図４】別実施例１の平面図
【図５】別実施例１の平面図
【図６】別実施例１の作用側面図
【図７】別実施例２の平面図
【図８】別実施例２の側面図
【図９】別実施例２の要部の正面図
【図１０】別実施例２を示すコンバインの側面図
【符号の説明】
【００４８】
１  脱穀装置
２  搬送コンベヤ
３  横軸
４  掻込みオーガー
５  テーブル
６、６  分草杆
７  ファーストモア
８  刈取前処理装置
９  セカンドモア
９a  刃先
【図１】
2005224153.tif 000003
【図２】
2005224153.tif 000004
【図３】
2005224153.tif 000005
【図４】
2005224153.tif 000006
【図５】
2005224153.tif 000007
【図６】
2005224153.tif 000008
【図７】
2005224153.tif 000009
【図８】
2005224153.tif 000010
【図９】
2005224153.tif 000011
【図１０】
2005224153.tif 000012